(57)【要約】【課題】構内通信網リソースの使用状況を自動収集することにより、構内通信網の保守管理業務を支援する。【解決手段】本発明の実施の一形態であるＩＤＦ１０２は、構内通信線路１０とＰＳＴＮ通信端末１１０とを接続することにより、ＰＳＴＮ通信端末１１０に対する構内通信線路１０の割当を実行する。ＩＤＦ１０２は、構内通信線路１０の割当状態を確認すべき際、構内通信線路１０と接続状態または未設状態におかれる中継端子２４を起点とする線路の接続先をＰＳＴＮ通信端末１１０から検査処理部３０へ切替えるようＩＤＦスイッチ２８に指示する切替指示部３４と、構内通信線路１０の割当状態の確認要求を構内通信線路１０を介して受け付けた際、その構内通信線路１０が割当済である旨を外部装置へ通知する応答部３６とを備える。【選択図】図２
2011071762.tif 000002
【特許請求の範囲】
【請求項１】
第１の通信線路と第２の通信線路とを接続することにより、前記第２の通信線路に対する前記第１の通信線路の割当を実行する配線盤であって、
検査処理部と、
前記第１の通信線路に対し接続された状態または未接続の状態におかれる端子と、
前記端子を起点とする線路の接続先を前記第２の通信線路または前記検査処理部とするスイッチ部と、を備え、
前記検査処理部は、
前記第１の通信線路の割当状態を確認すべき際、前記端子を起点とする線路の接続先を前記第２の通信線路から当該検査処理部へ切替えるよう前記スイッチ部に対し指示する切替指示部と、
所定の外部装置から前記第１の通信線路を介して前記第１の通信線路の割当状態の確認要求を受け付けた際、前記第１の通信線路が割当済である旨を前記外部装置へ通知する応答部とを有することを特徴とする配線盤。
【請求項２】
前記応答部は、前記第１の通信線路が割当済である旨を通知するに際し、前記第１の通信線路と前記第２の通信線路との接続において使用されている端子の情報を前記外部装置へ送信することを特徴とする請求項１に記載の配線盤。
【請求項３】
前記応答部は、所定の外部装置から前記第１の通信線路を介して前記第１の通信線路における伝送品質の確認要求を受け付けた際、その確認要求の信号状態に応じて前記第１の通信線路における伝送品質を特定し、当該伝送品質を前記外部装置へ通知することを特徴とする請求項１または２に記載の配線盤。
【請求項４】
前記スイッチ部は、電源装置からの配電が停止している間、前記端子を起点とする線路の接続先を前記第２の通信線路とすることを特徴とする請求項１から３のいずれかに記載の配線盤。
【請求項５】
前記第１の通信線路を介して請求項１から４のいずれかに記載の配線盤と接続され、当該配線盤に対する検査を制御する装置であって、
前記第１の通信線路の割当状態の確認要求を前記第１の通信線路へ送出する検査実行部と、
前記確認要求に対する前記配線盤からの応答に応じて、前記第１の通信線路の割当状態を示すデータを外部へ出力する結果出力部と、
を備えることを特徴とする配線盤検査制御装置。
【請求項６】
第１の通信線路と第２の通信線路とを接続することにより前記第２の通信線路に対する前記第１の通信線路の割当を実行する配線盤について、当該配線盤を検査するための検査処理装置であって、
前記配線盤は、前記第１の通信線路に対し接続された状態または未接続の状態におかれる当該配線盤の端子について、その端子を起点とする線路の接続先を前記第２の通信線路または前記検査処理装置とするよう構成されたものであり、
前記第１の通信線路の割当状態を確認すべき際、前記端子を起点とする線路の接続先を前記第２の通信線路から当該検査処理装置へ切替えるよう前記配線盤に対し指示する切替指示部と、
所定の外部装置から前記第１の通信線路を介して前記第１の通信線路の割当状態の確認要求を受け付けた際、前記第１の通信線路が割当済である旨を前記外部装置へ通知する応答部と、
を備えることを特徴とする配線盤検査処理装置。
【請求項７】
第１の通信線路と第２の通信線路とを接続することにより前記第２の通信線路に対する前記第１の通信線路の割当を実行する配線盤について、当該配線盤を検査する方法であって、
前記配線盤は、前記第１の通信線路に対し接続された状態または未接続の状態におかれる当該配線盤の端子について、その端子を起点とする線路の接続先を前記第２の通信線路または所定の検査処理部とするよう構成されたものであり、
前記第１の通信線路の割当状態を確認すべき際、前記検査処理部において、前記端子を起点とする線路の接続先を前記第２の通信線路から前記検査処理部へ切替えるよう前記配線盤に対し指示するステップと、
所定の外部装置から前記第１の通信線路を介して前記第１の通信線路の割当状態の確認要求を受け付けた際、前記検査処理部において、前記第１の通信線路が割当済である旨を前記外部装置へ通知するステップと、
を備えることを特徴とする配線盤検査方法。
【請求項８】
ＰＳＴＮ（Public Switched Telephone Network）と建物内に敷設された通信線路とを接続する主配線盤と、
前記通信線路が所定の通信機器へ割り当てられた場合、これらを接続する中間配線盤と、を備え、
前記主配線盤は、
検査制御部と、
前記通信線路に対し接続された状態または未接続の状態におかれる端子であるＭＤＦ端子と、
前記ＭＤＦ端子を起点とする線路の接続先をＰＳＴＮまたは前記検査制御部とするスイッチ部と、を有し、
前記中間配線盤は、
検査処理部と、
前記通信線路に対し接続された状態または未接続の状態におかれる端子であるＩＤＦ端子と、
前記ＩＤＦ端子を起点とする線路の接続先を前記通信機器または前記検査処理部とするスイッチ部と、を有し、
前記主配線盤の検査制御部は、
前記通信線路の割当状態を確認すべき際、前記ＭＤＦ端子を起点とする線路の接続先をＰＳＴＮから当該検査制御部へ切替えるよう前記主配線盤のスイッチ部に対し指示する切替指示部と、
前記通信線路の割当状態の確認要求を前記通信線路へ送出する検査実行部と、を含み、
前記中間配線盤の検査処理部は、
前記通信線路の割当状態を確認すべき際、前記ＩＤＦ端子を起点とする線路の接続先を前記通信機器から当該検査処理部へ切替えるよう前記中間配線盤のスイッチ部に対し指示する切替指示部と、
前記通信線路を介して前記確認要求を受け付けた際、前記通信線路が割当済である旨を前記主配線盤へ通知する応答部と、を含み、
前記主配線盤の検査制御部は、前記確認要求に対する前記中間配線盤からの応答に応じて、前記通信線路の割当状態を示すデータを所定の外部装置へ出力する結果出力部をさらに含むことを特徴とする構内配線システム。
【発明の詳細な説明】
【技術分野】
【０００１】
この発明は、データ処理技術に関し、特に、配線盤、配線盤検査制御装置、配線盤検査処理装置、配線盤検査方法および構内配線システムに関する。
【背景技術】
【０００２】
多くの集合住宅やオフィスビルには、建物内における通信線路の集線盤として、ＭＤＦ（Main Distributing Frame）やＩＤＦ（Intermediate Distribution Frame）等の配線盤が設置されている。典型的に配線盤では、建物内に敷設された通信線路が特定の通信機器に割り当てられた場合、通信線路側の端子と通信機器側の端子とが接続される。
【０００３】
以下の特許文献１には、外部からの制御信号により内部布線の変更が自動的になされるＭＤＦが記載されている。
【先行技術文献】
【特許文献】
【０００４】
【特許文献１】特開２００３−２０４３９２号公報
【発明の概要】
【発明が解決しようとする課題】
【０００５】
建物内の通信機器が新設または変更される場合、既設の通信機器に対し割り当てられた通信線路や、その割当に伴い使用されている配線盤の端子等、構内通信網リソースの使用状況を確認する必要がある。そのため、現地調査により配線盤の配線状態が確認されることがあるが、このことは構内通信網の保守管理コストを増大させる要因となっていた。
【０００６】
本発明は、こうした課題に鑑みてなされたものであり、その主たる目的は、構内通信網リソースの使用状況を自動収集することにより、構内通信網の保守管理業務を支援する技術を提供することである。
【課題を解決するための手段】
【０００７】
上記課題を解決するために、本発明のある態様の配線盤は、第１の通信線路と第２の通信線路とを接続することにより、第２の通信線路に対する第１の通信線路の割当を実行する配線盤であって、検査処理部と、第１の通信線路に対し接続された状態または未接続の状態におかれる端子と、端子を起点とする線路の接続先を第２の通信線路または検査処理部とするスイッチ部と、を備える。検査処理部は、第１の通信線路の割当状態を確認すべき際、端子を起点とする線路の接続先を第２の通信線路から当該検査処理部へ切替えるようスイッチ部に対し指示する切替指示部と、所定の外部装置から第１の通信線路を介して第１の通信線路の割当状態の確認要求を受け付けた際、第１の通信線路が割当済である旨を外部装置へ通知する応答部とを有する。
【０００８】
本発明の別の態様は、配線盤検査制御装置である。この装置は、第１の通信線路を介して上記の配線盤と接続され、当該配線盤に対する検査を制御する装置であって、第１の通信線路の割当状態の確認要求を第１の通信線路へ送出する検査実行部と、確認要求に対する配線盤からの応答に応じて、第１の通信線路の割当状態を示すデータを外部へ出力する結果出力部と、を備える。
【０００９】
本発明のさらに別の態様は、配線盤検査処理装置である。この装置は、第１の通信線路と第２の通信線路とを接続することにより第２の通信線路に対する第１の通信線路の割当を実行する配線盤について、当該配線盤を検査するための検査処理装置であって、配線盤は、第１の通信線路に対し接続された状態または未接続の状態におかれる当該配線盤の端子について、その端子を起点とする線路の接続先を第２の通信線路または検査処理装置とするよう構成されたものであり、第１の通信線路の割当状態を確認すべき際、端子を起点とする線路の接続先を第２の通信線路から当該検査処理装置へ切替えるよう配線盤に対し指示する切替指示部と、所定の外部装置から第１の通信線路を介して第１の通信線路の割当状態の確認要求を受け付けた際、第１の通信線路が割当済である旨を外部装置へ通知する応答部と、を備える。
【００１０】
本発明のさらに別の態様は、配線盤検査方法である。この方法は、第１の通信線路と第２の通信線路とを接続することにより第２の通信線路に対する第１の通信線路の割当を実行する配線盤について、当該配線盤を検査する方法であって、配線盤は、第１の通信線路に対し接続された状態または未接続の状態におかれる当該配線盤の端子について、その端子を起点とする線路の接続先を第２の通信線路または所定の検査処理部とするよう構成されたものであり、第１の通信線路の割当状態を確認すべき際、検査処理部において、端子を起点とする線路の接続先を第２の通信線路から検査処理部へ切替えるよう配線盤に対し指示するステップと、所定の外部装置から第１の通信線路を介して第１の通信線路の割当状態の確認要求を受け付けた際、検査処理部において、第１の通信線路が割当済である旨を外部装置へ通知するステップと、を備える。
【００１１】
本発明のさらに別の態様は、構内配線システムである。この構内配線システムは、ＰＳＴＮ（Public Switched Telephone Network）と建物内に敷設された通信線路とを接続する主配線盤と、通信線路が所定の通信機器へ割り当てられた場合、これらを接続する中間配線盤と、を備える。主配線盤は、検査制御部と、通信線路に対し接続された状態または未接続の状態におかれる端子であるＭＤＦ端子と、ＭＤＦ端子を起点とする線路の接続先をＰＳＴＮまたは検査制御部とするスイッチ部と、を有する。中間配線盤は、検査処理部と、通信線路に対し接続された状態または未接続の状態におかれる端子であるＩＤＦ端子と、ＩＤＦ端子を起点とする線路の接続先を通信機器または検査処理部とするスイッチ部と、を有する。主配線盤の検査制御部は、通信線路の割当状態を確認すべき際、ＭＤＦ端子を起点とする線路の接続先をＰＳＴＮから当該検査制御部へ切替えるよう主配線盤のスイッチ部に対し指示する切替指示部と、通信線路の割当状態の確認要求を通信線路へ送出する検査実行部と、を含む。中間配線盤の検査処理部は、通信線路の割当状態を確認すべき際、ＩＤＦ端子を起点とする線路の接続先を通信機器から当該検査処理部へ切替えるよう中間配線盤のスイッチ部に対し指示する切替指示部と、通信線路を介して確認要求を受け付けた際、通信線路が割当済である旨を主配線盤へ通知する応答部と、を含む。主配線盤の検査制御部は、確認要求に対する中間配線盤からの応答に応じて、通信線路の割当状態を示すデータを所定の外部装置へ出力する結果出力部をさらに含む。
【００１２】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１３】
本発明によれば、構内通信網に対する保守管理業務を支援できる。
【図面の簡単な説明】
【００１４】
【図１】本発明の実施の形態である構内配線システムを含むオフィスビルについて、その電話システムの構成を示す図である。
【図２】図１の構内配線システムの詳細な構成を示す図である。
【図３】ＩＤＦ検査における応答データの構成を示す図である。
【図４】ＭＤＦ検査における応答データの構成を示す図である。
【図５】ＩＤＦの検査処理部からの応答データを、構内通信線路をキーとして集約した検査結果データを示す図である。
【図６】ＭＤＦの検査処理部からの応答データを、構内通信線路をキーとして集約した検査結果データを示す図である。
【図７】ＩＤＦ検査の応答データを、ＩＤＦをキーとして集約した検査結果データを示す図である。
【図８】ＭＤＦの検査制御部の動作を示すフローチャートである。
【図９】ＩＤＦの検査処理部の動作を示すフローチャートである。
【図１０】配線盤情報の構成を示す図である。
【図１１】自動生成された工事手配書を模式的に示す図である。
【発明を実施するための形態】
【００１５】
図１は、本発明の実施の形態である構内配線システム１００を含むオフィスビルについて、その電話システムの構成を示す。このオフィスビルでは、ＩＰ（Internet Protocol）通信を使用した電話ネットワークが導入されている。具体的には、通常時の外線通話や内線通話のために使用されるＩＰ電話機２００が設置されている。ＩＰ電話機２００からの音声データは、Ｌ２ＳＷ２０４およびＬ３ＳＷ２０６を介してＩＰ網２０８へ送出される。ＩＰ−ＰＢＸ（IP Private Branch eXchange）２０２は、ＩＰ電話機２００の回線交換処理、例えばＳＩＰ（Session Initiation Protocol）データの処理等を実行する。
【００１６】
遠隔監視端末３００は、図１のオフィスビルとは別ロケーションの遠隔監視センターに配置されており、遠隔監視センターの保守管理者により操作される。遠隔監視端末３００は、ＩＰ網２０８を介して、オフィスビル内のＩＰ電話機２００やＬ２ＳＷ２０４等のＩＰ通信機器を監視する。
【００１７】
さらに、図１のオフィスビルには、ＰＳＴＮ（Public Switched Telephone Network）１１４を使用した電話サービスを提供するための構内配線システム１００が設置されている。この構内配線システム１００には、ＩＤＦ１０２で総称される第１のＩＤＦ１０２ａおよび第２のＩＤＦ１０２ｂと、ＭＤＦ１０４とが含まれ、構内通信線路により相互接続される。
【００１８】
ＩＤＦ１０２には、ＰＳＴＮ通信端末１１０で総称される緊急用電話機１１０ａとＦＡＸ１１０ｂとが接続されている。緊急用電話機１１０ａは、ＰＳＴＮ１１４を使用した外線通話サービスを提供し、停電時等、ＩＰ電話機２００が使用できない際に、ＩＰ電話機２００の代わりに使用される。ＦＡＸ１１０ｂは、ＩＰ通信には非対応のファクシミリであり、ＰＳＴＮ１１４を使用した画像情報転送サービスを提供する。また、ＭＤＦ１０４には、ＰＳＴＮ通信端末１１０の回線交換処理や呼情報処理を実行するＰＢＸ１１２が接続されている。ＰＢＸ１１２は公知技術であるため、以下、説明は省略する。
【００１９】
ここで、本発明の技術思想の概要を説明する。図１で示すように、現在、電話システムのＩＰ化が進展し、ＰＳＴＮ通信端末１１０に代えて、ＩＰ電話機２００等のＩＰ対応機が設置されてきている。また、遠隔監視端末３００による監視も進展しており、オフィスビルには電話システムの保守管理者を配置しないことも多い。
【００２０】
しかし、今後も、ＩＰ非対応機は存在し、また停電時等の緊急時の通信を確保する必要があるため、オフィスビル内にＰＳＴＮ通信端末１１０は存在し続ける。そのため、ＰＳＴＮ通信端末１１０のためのＩＤＦ１０２およびＭＤＦ１０４に対する保守管理も継続して必要になる。ただし、ＩＤＦ１０２およびＭＤＦ１０４の保守管理コストは、これまで以上の低減が望まれている。
【００２１】
ＰＳＴＮ通信端末１１０が新設・移設される場合、そのＰＳＴＮ通信端末１１０とＰＳＴＮ１１４とを接続するための通信線路が確保される必要がある。そのため、構内配線システム１００の使用状況、例えば既に使用されている構内通信線路や、ＭＤＦ１０４・ＩＤＦ１０２において既に使用されている端子等を確認するために現地調査が行われることがある。しかし、このような現地調査は、保守管理コストを増大させる要因となっていた。また、構内配線システム１００の使用状況が管理台帳に記録されている場合も、時間の経過とともに、管理台帳の記載内容と実際の使用状況との間に相違が生じることがある。したがって、結局は現地調査に頼らざるを得ない現状があった。
【００２２】
本実施の形態の構内配線システム１００では、ＩＤＦ１０２およびＭＤＦ１０４に対する検査が実行されて、ＩＤＦ１０２およびＭＤＦ１０４における配線状態が自動収集される。具体的には、構内通信線路の使用状況、および、ＭＤＦ１０４およびＩＤＦ１０２において使用されている端子の情報が自動収集される。これにより、構内配線システム１００の保守管理を支援し、保守管理コストの低減を実現する。
【００２３】
図２は、図１の構内配線システム１００の詳細な構成を示す。同図の検査処理部３０、検査処理部７０、検査制御部８０等については、これらの機能構成を示すブロック図で記載している。
【００２４】
本明細書のブロック図において示される各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。例えば、各ブロックの機能を実装したコンピュータプログラムを汎用のＣＰＵにより動作させてもよい。また、各ブロックの機能を実装した専用回路により、各ブロックの機能が提供されてもよい。
【００２５】
管理用通信線路１２は、後述する検査処理部３０と検査処理部７０と検査制御部８０とのそれぞれが互いにデータを送受するための伝送路である。また、構内通信線路１０で総称される構内通信線路Ａ１０ａ〜構内通信線路Ｄ１０ｄは、ＰＳＴＮ通信端末１１０がＰＳＴＮ１１４との間でデータを送受するための伝送路である。管理用通信線路１２および構内通信線路１０は、典型的には通信ケーブルであり、いわゆる電話線であってもよい。
【００２６】
構内通信線路１０は、ＰＳＴＮ通信端末１１０に割り当てられた場合、ＩＤＦ１０２においてそのＰＳＴＮ通信端末１１０、具体的にはＰＳＴＮ通信端末１１０を起点とする通信ケーブルと接続され、そのＰＳＴＮ通信端末１１０によって占有される。言い換えれば、あるＰＳＴＮ通信端末１１０へ割当済の構内通信線路１０を、別のＰＳＴＮ通信端末１１０に対しても割り当てることはできない。また、構内通信線路１０は、ＭＤＦ１０４においてＰＳＴＮ１１４と接続される。
【００２７】
ＩＤＦ１０２は、構内側端子２０で総称される構内側端子Ａ２０ａ〜構内側端子Ｄ２０ｄと、端末側端子２２で総称される端末側端子Ａ２２ａ〜端末側端子Ｄ２２ｄと、中継端子２４で総称される中継端子Ａ２４ａ〜中継端子Ｄ２４ｄと、検査用端子２６で総称される検査用端子Ａ２６ａ〜検査用端子Ｄ２６ｄと、ＩＤＦスイッチ２８で総称されるＩＤＦスイッチＡ２８ａ〜ＩＤＦスイッチＤ２８ｄと、検査処理部３０とを備える。
【００２８】
構内側端子２０は、構内通信線路１０と接続される。端末側端子２２は、構内通信線路１０が割り当てられたＰＳＴＮ通信端末１１０と接続される。検査用端子２６は、検査処理部３０と接続される。
【００２９】
中継端子２４は、ＰＳＴＮ通信端末１１０に対して構内通信線路１０が割り当てられた場合、構内側端子２０と接続される。典型的には、構内側端子２０と中継端子２４は、工事担当者の手作業によってジャンパ線により接続される。構内通信線路１０が未割当である場合には、構内側端子２０と中継端子２４とは接続されない。例えば、図２の構内通信線路Ｃ１０ｃはＰＳＴＮ通信端末１１０に対して未割当であるため、第１のＩＤＦ１０２ａと第２のＩＤＦ１０２ｂとのいずれにおいても、構内側端子Ｃ２０ｃと中継端子Ｃ２４ｃとは未接続である。
【００３０】
ＩＤＦスイッチ２８は、中継端子２４を、端末側端子２２または検査用端子２６と接続させる。ＩＤＦスイッチ２８は、公知の切替機構を有しており、検査処理部３０からの切替指示信号に応じて、中継端子２４と端末側端子２２とが接続された状態と、中継端子２４と検査用端子２６とが接続された状態とを切替える。言い換えれば、中継端子２４を起点とする線路の接続先を、端末側端子２２と検査用端子２６との間で適宜切替える。
【００３１】
なお、ＩＤＦスイッチ２８は、所定の電源装置からの配電、例えば電気事業者からの配電が停止している間、中継端子２４を起点とする線路の接続先を端末側端子２２とする。検査の非実行時も同様である。例えば、停電時には中継端子２４と端末側端子２２とが接続された状態となるよう、バネ等の付勢手段により所定の付勢力が設定されてもよい。中継端子２４と端末側端子２２とが接続された状態から、中継端子２４と検査用端子２６とが接続された状態へ切替えるべき際には、その付勢力よりも大きな磁力を電磁石等により発生させて接続状態を切替えてもよい。この構成によれば、停電時であっても、また、検査中に停電が発生した場合でも、ＰＳＴＮ通信端末１１０は構内通信線路１０と接続される。これにより、ＰＳＴＮ通信端末１１０は、構内通信線路１０を介して電力供給を受けることができ、通信サービスを継続して提供できる。
【００３２】
検査処理部３０は、ＭＤＦ１０４からの制御信号に応答して、ＩＤＦ１０２における検査処理を実行する。検査処理部３０は、通信部３２と、切替指示部３４と、応答部３６とを有する。
【００３３】
通信部３２は、外部の通信部との通信処理を実行する。例えば、通信部３２は、管理用通信線路１２を介してＩＤＦ検査の開始通知および終了通知をＭＤＦ１０４から受信する。また、構内通信線路１０を介して、すなわち構内通信線路１０〜構内側端子２０〜中継端子２４〜検査用端子２６を介して、ＭＤＦ１０４からＩＤＦ検査の検査データを受信する。また、管理用通信線路１２を介して、ＭＤＦ１０４へＩＤＦ検査の応答データを送信する。変形例として、構内通信線路１０を介して応答データを送信してもよい。
【００３４】
切替指示部３４は、管理用通信線路１２〜通信部３２を介して検査の開始通知を受け付けると、中継端子２４を起点とする線路の接続先を端末側端子２２から検査用端子２６へ切替えるよう指示するための切替指示信号をＩＤＦスイッチ２８へ送出する。また、管理用通信線路１２〜通信部３２を介して検査の終了通知を受け付けると、中継端子２４を起点とする線路の接続先を検査用端子２６から端末側端子２２へ切替えるよう指示するための切替指示信号をＩＤＦスイッチ２８へ送出する。
【００３５】
応答部３６は、構内通信線路１０〜通信部３２を介して、構内通信線路１０の割当状態を確認するためのデータである検査データを受け付ける。この検査データにおいては、検査対象の構内通信線路１０のＩＤが指定されている。検査用端子２６は、検査データを受け付けると、検査対象の構内通信線路１０がＰＳＴＮ通信端末１１０へ既に割当済であることを通知するための応答データを、通信部３２を介してＭＤＦ１０４へ送信する。
【００３６】
図３は、ＩＤＦ検査における応答データの構成を示す。応答部３６は、構内通信線路ＩＤフィールドに対して、検査データに設定された構内通信線路ＩＤを設定する。また、配線盤ＩＤフィールドに対して、自身のＩＤＦ１０２のＩＤを設定する。また、構内側端子ＩＤフィールドに対して、構内通信線路ＩＤで特定される構内通信線路１０と接続された構内側端子２０のＩＤを設定する。例えば、応答部３６は、複数の構内通信線路１０それぞれと、複数の構内側端子２０それぞれとの接続関係が記録されたテーブルを保持し、そのテーブルを参照して構内通信線路ＩＤに対応する構内側端子ＩＤを設定してもよい。
【００３７】
また応答部３６は、検査用端子２６から検査処理部３０への線路のうち検査データが入力された線路に応じて、検査データを中継した中継端子２４を識別し、そのＩＤを中継端子ＩＤフィールドへ設定する。また、端末側端子ＩＤフィールドに対して、中継端子ＩＤで特定される中継端子２４と接続される端末側端子２２のＩＤを設定する。応答部３６は、複数の中継端子２４それぞれと、複数の端末側端子２２それぞれとの接続関係が記録されたテーブルを保持し、そのテーブルを参照して中継端子ＩＤに対応する端末側端子ＩＤを設定してもよい。
【００３８】
変形例として、構内側端子２０と中継端子２４との接続関係があらかじめ定められている場合、すなわち、ある構内側端子２０には特定の中継端子２４が接続される場合には、応答部３６は、中継端子ＩＤで特定される中継端子２４と接続される構内側端子２０のＩＤを設定してもよい。この場合、応答部３６は、複数の中継端子２４それぞれと、複数の構内側端子２０それぞれとの接続関係が記録されたテーブルを保持し、そのテーブルを参照して中継端子ＩＤに対応する構内側端子ＩＤを設定してもよい。図２に戻る。
【００３９】
ＭＤＦ１０４は、構内側端子４０で総称される構内側端子Ａ４０ａ〜構内側端子Ｄ４０ｄと、ＰＳＴＮ側端子４２で総称されるＰＳＴＮ側端子Ａ４２ａ〜ＰＳＴＮ側端子Ｄ４２ｄと、第１中継端子４４と、第２中継端子４６と、第３中継端子４８で総称される第３中継端子Ａ４８ａ〜第３中継端子Ｄ４８ｄと、第４中継端子５０で総称される第４中継端子Ａ５０ａ〜第４中継端子Ｄ５０ｄとを備える。なお、図２では符号を付していないが、構内側端子４０のそれぞれに対応して複数の第１中継端子４４が設けられており、第３中継端子４８のそれぞれに対応して複数の第２中継端子４６が設けられている。
【００４０】
さらにＭＤＦ１０４は、第１検査用端子５２で総称される第１検査用端子Ａ５２ａ〜第１検査用端子Ｄ５２ｄと、第１ＭＤＦスイッチ５４で総称される第１ＭＤＦスイッチＡ５４ａ〜第１ＭＤＦスイッチＤ５４ｄと、第２検査用端子５６で総称される第２検査用端子Ａ５６ａ〜第２検査用端子Ｄ５６ｄと、第２ＭＤＦスイッチ５８で総称される第２ＭＤＦスイッチＡ５８ａ〜第２ＭＤＦスイッチＤ５８ｄと、第３検査用端子６０で総称される第３検査用端子Ａ６０ａ〜第３検査用端子Ｄ６０ｄと、第３ＭＤＦスイッチ６２で総称される第３ＭＤＦスイッチＡ６２ａ〜第３ＭＤＦスイッチＤ６２ｄとを備える。
【００４１】
さらにＭＤＦ１０４は、検査処理部７０と、監視端末４００と接続された検査制御部８０とを備える。監視端末４００は、構内配線システム１００の検査実行を検査制御部８０へ指示し、その検査結果を検査制御部８０から取得するＰＣ端末である。監視端末４００は、図１のオフィスビルに持ち込まれてＭＤＦ１０４と直接接続されたＰＣ端末であってもよい。また、そのオフィスビルとは別ロケーションの遠隔監視センターに配置され、ネットワークを介してＭＤＦ１０４と接続されたＰＣ端末であってもよい。
【００４２】
構内側端子４０は、構内通信線路１０と接続される。ＰＳＴＮ側端子４２は、構内通信線路１０が割り当てられたＰＳＴＮ１１４と接続される。第１中継端子４４と第２中継端子４６とは固定的に接続される。第１検査用端子５２および第２検査用端子５６は検査制御部８０と接続され、第３検査用端子６０は検査処理部７０と接続される。
【００４３】
第３中継端子４８は、ＰＳＴＮ１１４に対して構内通信線路１０が割り当てられた場合、第４中継端子５０と接続される。典型的には、第３中継端子４８と第４中継端子５０は、工事担当者の手作業によってジャンパ線により接続される。構内通信線路１０が未割当である場合には、第３中継端子４８と第４中継端子５０とは接続されない。図２では、いずれの構内通信線路１０もＰＳＴＮ１１４に対して割当済である。
【００４４】
第１ＭＤＦスイッチ５４、第２ＭＤＦスイッチ５８、第３ＭＤＦスイッチ６２は、ＩＤＦスイッチ２８と同様に公知のスイッチ機構を有する。第１ＭＤＦスイッチ５４は、検査制御部８０からの切替指示信号に応じて、構内側端子４０を起点とする線路の接続先を、第１中継端子４４と第１検査用端子５２との間で適宜切替える。第２ＭＤＦスイッチ５８は、検査制御部８０からの切替指示信号に応じて、第３中継端子４８を起点とする線路の接続先を、第２中継端子４６と第２検査用端子５６との間で適宜切替える。第３ＭＤＦスイッチ６２は、検査処理部７０からの切替指示信号に応じて、第４中継端子５０を起点とする線路の接続先を、ＰＳＴＮ側端子４２と第３検査用端子６０との間で適宜切替える。
【００４５】
なお、所定の電源装置からの配電、例えば電気事業者からの配電が停止している間、第１ＭＤＦスイッチ５４は、構内側端子４０を起点とする線路の接続先を第１中継端子４４とする。また第２ＭＤＦスイッチ５８は、第３中継端子４８を起点とする線路の接続先を第２中継端子４６とする。また第３ＭＤＦスイッチ６２は、第４中継端子５０を起点とする線路の接続先をＰＳＴＮ側端子４２とする。検査の非実行時も同様である。それぞれのスイッチは、ＩＤＦスイッチ２８と同様の構成であってもよい。この構成によれば、停電時であっても、また、検査中に停電が発生した場合でも、ＰＳＴＮ１１４からの電力供給を受けることができる。また、ＰＳＴＮ通信端末１１０とＰＳＴＮ１１４との接続状態を維持できるため、ＰＳＴＮ通信端末１１０は通信サービスを継続して提供できる。
【００４６】
検査処理部７０は、ＩＤＦ１０２の検査処理部３０と同様の構成であり、通信部７２と、切替指示部７４と、応答部７６とを有する。通信部７２は、検査制御部８０との通信処理を実行する。切替指示部７４は、管理用通信線路１２〜通信部７２を介して検査の開始通知を受け付けると、第４中継端子５０を起点とする線路の接続先をＰＳＴＮ側端子４２から第３検査用端子６０へ切替えるよう指示するための切替指示信号を第３ＭＤＦスイッチ６２へ送出する。また管理用通信線路１２〜通信部７２を介して検査の終了通知を受け付けると、第４中継端子５０を起点とする線路の接続先を第３検査用端子６０からＰＳＴＮ側端子４２へ切替えるよう指示するための切替指示信号を第３ＭＤＦスイッチ６２へ送出する。
【００４７】
応答部７６は、第３検査用端子６０〜通信部７２を介して、構内通信線路１０それぞれの割当状態を確認するための検査データを受け付ける。そして、検査対象の構内通信線路１０がＰＳＴＮ１１４へ既に割当済であることを通知するための応答データを、通信部７２を介して検査制御部８０へ送信する。
【００４８】
図４は、ＭＤＦ検査における応答データの構成を示す。応答部７６は、構内通信線路ＩＤフィールドに対して、検査データに設定された構内通信線路ＩＤを設定する。また、配線盤ＩＤフィールドに対して、自身のＭＤＦ１０４のＩＤを設定する。また、第３中継端子ＩＤフィールドに対して、構内通信線路ＩＤで特定される構内通信線路１０に対応する第３中継端子４８のＩＤを設定する。例えば、応答部７６は、複数の構内通信線路１０それぞれと、複数の第３中継端子４８それぞれとの対応関係が記録されたテーブルを保持し、そのテーブルを参照して構内通信線路ＩＤに対応する第３中継端子ＩＤを設定してもよい。
【００４９】
また応答部７６は、第３検査用端子６０から検査処理部７０への線路のうち検査データが入力された線路に応じて、検査データを中継した第４中継端子５０を識別し、そのＩＤを第４中継端子ＩＤフィールドへ設定する。また、ＰＳＴＮ側端子ＩＤフィールドに対して、第４中継端子ＩＤで特定される第４中継端子５０と接続されるＰＳＴＮ側端子４２のＩＤを設定する。応答部３６は、複数の第４中継端子５０それぞれと、複数のＰＳＴＮ側端子４２それぞれとの接続関係が記録されたテーブルを保持し、そのテーブルを参照して第４中継端子ＩＤに対応するＰＳＴＮ側端子ＩＤを設定してもよい。図２に戻る。
【００５０】
検査制御部８０は、構内配線システム１００における検査の実行を制御し、検査処理のスケジューリングや、検査のための各種データの送受を実行する。検査制御部８０は、通信部８２と、切替指示部８４と、検査実行部８６と、結果出力部８８とを有する。通信部８２は、監視端末４００、検査処理部３０、検査処理部７０との通信処理を実行する。
【００５１】
切替指示部８４は、監視端末４００から検査実行を指示するデータを受け付けると、構内側端子４０を起点とする線路の接続先を第１中継端子４４から第１検査用端子５２へ切替えるよう指示するための切替指示信号を第１ＭＤＦスイッチ５４へ送出する。また、第３中継端子４８を起点とする線路の接続先を第２中継端子４６から第２検査用端子５６へ切替えるよう指示するための切替指示信号を第２ＭＤＦスイッチ５８へ送出する。さらに切替指示部８４は、通信部８２〜管理用通信線路１２を介して、検査の開始通知を検査処理部３０および検査処理部７０へ送信する。
【００５２】
切替指示部８４は、構内配線システム１００における検査が完了したことを検出すると、通信部８２〜管理用通信線路１２を介して、検査の終了通知を検査処理部３０および検査処理部７０へ送信する。また、構内側端子４０を起点とする線路の接続先を第１検査用端子５２から第１中継端子４４へ切替えるよう指示するための切替指示信号を第１ＭＤＦスイッチ５４へ送出する。さらに、第３中継端子４８を起点とする線路の接続先を第２検査用端子５６から第２中継端子４６へ切替えるよう指示するための切替指示信号を第２ＭＤＦスイッチ５８へ送出する。
【００５３】
検査実行部８６は、第１のＩＤＦ１０２ａに対する検査処理、第２のＩＤＦ１０２ｂに対する検査処理を順次実行する。具体的には、それぞれのＩＤＦ１０２に対する検査処理として、構内通信線路Ａ１０ａ〜構内通信線路Ｄ１０ｄに対し、それぞれの構内通信線路１０のＩＤを指定した検査データを順次送出する。例えば、検査実行部８６は、構内通信線路Ａ１０ａがＰＳＴＮ通信端末１１０に対して割当済か否かを検査する場合、第１検査用端子Ａ５２ａ〜構内側端子Ａ４０ａを介して、構内通信線路Ａ１０ａのＩＤを含む検査データを構内通信線路Ａ１０ａへ送出する。
【００５４】
ＩＤＦ１０２に対する検査処理において、構内通信線路Ａ１０ａが割当済である場合には、いずれかのＩＤＦ１０２の検査処理部３０から応答データが返信され、未割当であれば応答データは返信されない。なお、検査実行部８６は、複数の第１検査用端子５２それぞれと、複数の構内通信線路１０それぞれとの対応関係を記録するテーブルを保持し、そのテーブルを参照して、それぞれの第１検査用端子５２に対応する構内通信線路１０のＩＤを特定してもよい。
【００５５】
また検査実行部８６は、ＩＤＦ１０２に対する検査を実行後、ＭＤＦ１０４に対する検査を実行する。具体的には、第２検査用端子Ａ５６ａ〜第２検査用端子Ｄ５６ｄに対し、それぞれの第２検査用端子５６に対応する構内通信線路１０のＩＤを指定した検査データを順次送出する。例えば、構内通信線路Ａ１０ａがＰＳＴＮ１１４に対して割当済か否かを検査する場合、第２検査用端子Ａ５６ａ〜第３中継端子Ａ４８ａを介して、構内通信線路Ａ１０ａのＩＤを含む検査データを送出する。
【００５６】
ＭＤＦ１０４に対する検査処理において構内通信線路Ａ１０ａが割当済である場合には検査処理部７０から応答データが返信され、未割当であれば応答データは返信されない。なお、検査実行部８６は、複数の第２検査用端子５６それぞれと、複数の構内通信線路１０それぞれとの対応関係を記録するテーブルを保持し、そのテーブルを参照して、それぞれの第２検査用端子５６に対応する構内通信線路１０のＩＤを特定してもよい。
【００５７】
検査実行部８６は、検査データを送出後、管理用通信線路１２〜通信部８２を介して、ＩＤＦ１０２の検査処理部３０およびＭＤＦ１０４の検査処理部７０から応答データを受け付ける。そして、受け付けた応答データを図示しない所定のバッファに一時的に記憶させる。検査実行部８６は、検査データを送出後、あらかじめ定められた所定期間内に応答データを受信しない場合、タイムアウトを検出して、別の構内通信線路１０に対応する第１検査用端子５２または第２検査用端子５６へ次の検査データを送出する。
【００５８】
結果出力部８８は、構内配線システム１００における検査が完了したことを検出すると、所定のバッファに記憶された応答データを参照して、その応答データを集約した検査結果データを設定する。そして、その検査結果データを、通信部８２を介して監視端末４００へ送信する。図２の構内配線システム１００の配線状態を反映した検査結果データの例として、以下、図５〜図７を示す。
【００５９】
図５は、ＩＤＦ１０２の検査処理部３０からの応答データを、構内通信線路をキーとして集約した検査結果データを示す。結果出力部８８は、構内通信線路１０全体に占めるＰＳＴＮ通信端末１１０へ割当済の構内通信線路１０の割合を、構内通信路使用率欄へ設定する。同図の検査結果データは、構内通信線路Ｃ１０ｃが未割当、すなわち構内通信線路Ｃ１０ｃに対する検査においてタイムアウトが発生したことを示している。この検査結果データにより、保守管理担当者は、オフィスビルに敷設された構内通信線路１０の使用状況を容易に確認できる。例えば、構内通信線路１０を増設すべきか否かを迅速に意思決定できる。
【００６０】
図６は、ＭＤＦ１０４の検査処理部７０からの応答データを、構内通信線路をキーとして集約した検査結果データを示す。結果出力部８８は、構内通信線路１０全体に占めるＰＳＴＮ１１４へ割当済の構内通信線路１０の割合を、構内通信路−ＰＳＴＮ接続率へ設定する。同図の検査結果データは、構内通信線路１０の全てがＰＳＴＮ１１４へ割当済であることを示している。この検査結果データにより、保守管理担当者は、オフィスビルに敷設された構内通信線路１０の使用状況を容易に確認できる。例えば、構内通信線路１０を増設すべきか否か、新規にＰＳＴＮ回線を契約すべきか否かを迅速に意思決定できる。
【００６１】
図７は、ＩＤＦ１０２の検査処理部３０からの応答データを、ＩＤＦ１０２をキーとして集約した検査結果データを示す。同図の検査結果データにより、保守管理担当者は、ＩＤＦ１０２のそれぞれにおける端子の使用状況を容易に確認できる。例えば、新たなＰＳＴＮ通信端末１１０が設置される場合、新たなＩＤＦ１０２を増設すべきか否か、また、どの端子間を接続すべきかを迅速に意思決定できる。
【００６２】
以上の構成による動作を以下説明する。
図８は、ＭＤＦ１０４の検査制御部８０の動作を示すフローチャートである。切替指示部８４は、監視端末４００からの検査実行指示を検出すると（Ｓ１０）、構内側端子４０と第１検査用端子５２とが接続状態となるように第１ＭＤＦスイッチ５４を切替える（Ｓ１２）。切替指示部８４は、検査対象となるＩＤＦ１０２に対し、管理用通信線路１２を介して検査の開始通知を送信する（Ｓ１４）。これにより、構内通信線路１０を介して検査制御部８０と検査処理部３０とが接続される。
【００６３】
検査実行部８６は、複数の構内通信線路１０のそれぞれに対して検査データを順次送出する（Ｓ１６）。構内通信線路１０がＰＳＴＮ通信端末１１０へ割当済であれば、ＩＤＦ１０２において構内側端子２０と中継端子２４とが接続されている。したがって、構内通信線路１０がＰＳＴＮ通信端末１１０へ割当済であれば、検査処理部３０において検査データが受け付けられ、その応答データが返信されることになる。検査実行部８６は、ＩＤＦ１０２からの応答データを所定期間内に受け付けた場合（Ｓ１８のＹ）、その応答データを所定のバッファに記憶させる（Ｓ２０）。所定期間内に応答データを受け付けない場合（Ｓ１８のＮ）、タイムアウトとなりＳ２０はスキップされる。
【００６４】
特定のＩＤＦ１０２の検査において検査データを未送出の構内通信線路１０があれば（Ｓ２２のＮ）、Ｓ１６に戻る。全ての構内通信線路１０に対し検査データを送出済であれば（Ｓ２２のＹ）、切替指示部８４は、検査が完了したＩＤＦ１０２に対し、管理用通信線路１２を介して検査の終了通知を送信する（Ｓ２４）。全てのＩＤＦ１０２の検査が完了した場合（Ｓ２６のＹ）、切替指示部８４は、第１ＭＤＦスイッチ５４を元に戻して、構内側端子４０と第１中継端子４４とを接続状態にさせる（Ｓ２８）。これにより、ＰＳＴＮ通信端末１１０とＰＳＴＮ１１４とが接続された状態に回復する。未検査のＩＤＦ１０２があれば（Ｓ２６のＮ）、そのＩＤＦ１０２を検査対象のＩＤＦ１０２としてＳ１４へ戻る。
【００６５】
なお、ＭＤＦ１０４の検査を実行する場合は、Ｓ２８後さらにＳ１２に戻る。すなわち、切替指示部８４は、第３中継端子４８と第２検査用端子５６とが接続状態となるように第２ＭＤＦスイッチ５８を切替える（Ｓ１２）。そして、検査処理部７０に対し、管理用通信線路１２を介して検査の開始通知を送信する（Ｓ１４）。これにより、第３中継端子４８および第４中継端子５０を介して検査制御部８０と検査処理部７０とが接続される。
【００６６】
続いて検査実行部８６は、第２検査用端子５６〜第３中継端子４８を介して検査データを送出する（Ｓ１６）。構内通信線路１０がＰＳＴＮ１１４へ割当済であれば、ＭＤＦ１０４において第３中継端子４８と第４中継端子５０とが接続されている。したがって、構内通信線路１０がＰＳＴＮ１１４へ割当済であれば、検査処理部７０において検査データが受け付けられ、その応答データが返信されることになる。以降は、Ｓ２８まで同様である。
最終的に、全てのＩＤＦ１０２（およびＭＤＦ１０４）の検査が完了すると、結果出力部８８は、検査結果データを監視端末４００へ送信する（Ｓ３０）。
【００６７】
図９は、ＩＤＦ１０２の検査処理部３０の動作を示すフローチャートである。切替指示部３４は、検査制御部８０から管理用通信線路１２を介して検査開始通知を受け付けると（Ｓ４０）、中継端子２４と検査用端子２６とが接続状態となるようにＩＤＦスイッチ２８を切替える（Ｓ４２）。応答部３６は、検査制御部８０から構内通信線路１０を介して検査データを受け付けると（Ｓ４４）、検査制御部８０に対して応答データを送信する（Ｓ４６）。切替指示部３４は、検査制御部８０から検査終了通知を受け付けると（Ｓ４８）、ＩＤＦスイッチ２８を元に戻して、中継端子２４と端末側端子２２とを接続状態にさせる（Ｓ５０）。検査終了通知が未受信であれば、Ｓ４４へ戻る。
【００６８】
なお、ＭＤＦ１０４の検査処理部７０の動作も同様である。切替指示部７４は、検査制御部８０から管理用通信線路１２を介して検査開始通知を受け付けると、第４中継端子５０と第３検査用端子６０とが接続状態となるように第３ＭＤＦスイッチ６２を切替える。応答部７６は、検査制御部８０から第３検査用端子６０を介して検査データを受け付けると、検査制御部８０に対して応答データを送信する。切替指示部７４は、検査制御部８０から検査終了通知を受け付けると、第３ＭＤＦスイッチ６２を元に戻して、第４中継端子５０とＰＳＴＮ側端子４２とを接続状態にさせる。
【００６９】
本実施の形態の構内配線システム１００によれば、オフィスビル内に敷設された構内通信線路１０の使用状況、すなわちＰＳＴＮ通信端末１１０に対する最新の割当状態およびＰＳＴＮ１１４に対する最新の割当状態を収集して監視端末４００へ提供できる。また、ＰＳＴＮ通信端末１１０に対する構内通信線路１０の割当に伴ってＩＤＦ１０２で使用されている端子の情報、および、ＰＳＴＮ１１４に対する構内通信線路１０の割当に伴ってＭＤＦ１０４で使用されている端子の情報を収集して監視端末４００へ提供できる。これにより、構内配線システム１００に対する保守管理業務を支援できる。
【００７０】
例えば、保守管理担当者は、構内配線システム１００における最新の配線状態を容易に確認できるようになる。また、構内配線システム１００の保守作業において、構内通信線路１０の増設や、ＩＤＦ１０２・ＭＤＦ１０４における接続端子の選定について迅速な意思決定ができるようになる。また、構内配線システム１００に対する人手による現地調査が不要になり、人為的ミスも削減されることにより、構内配線システム１００の保守管理コストも低減される。
【００７１】
また、検査処理部３０は中継端子２４よりもＰＳＴＮ通信端末１１０側に配置され、検査処理部７０は第４中継端子５０よりもＰＳＴＮ１１４側に配置されるため、検査処理部３０および検査処理部７０は、検査データを受け付けたことをもって、構内通信線路１０が割当済であると判定できる。したがって、検査処理部３０および検査処理部７０において複雑な判定ロジックが不要となり容易な実装が実現され、また、小規模な回路で実現可能となる。結果として、ＩＤＦ１０２およびＭＤＦ１０４の製造コストを低減できる。
【００７２】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。以下変形例を示す。
【００７３】
第１の変形例を説明する。この変形例では、検査結果データにしたがって、構内配線システム１００に対する工事の手配書を自動生成する装置（以下、「工事手配装置」とも呼ぶ。）を説明する。工事手配装置は、配線盤情報記憶部と、手配書生成部とを備える。配線盤情報記憶部は、オフィスビル内における配線盤の設置位置、その配線盤に接続される構内通信経路の情報、および各種端子の情報（以下、総称して「配線盤情報」とも呼ぶ。）を記憶する記憶領域である。
【００７４】
図１０は、配線盤情報の構成を示す。同図は、第１のＩＤＦ１０２ａについての配線盤情報を示している。典型的には、構内通信線路ＩＤと構内側端子ＩＤとは固定的に対応づけられ、また、中継端子ＩＤと端末側端子ＩＤとは固定的に対応づけられる。
【００７５】
手配書生成部は、配線盤情報と検査結果データとを参照して、新たに設置すべきＰＳＴＮ通信端末１１０の設置工事について、その工事手配書のデータをディスプレイやプリンタ等の出力装置へ出力する。具体的には、手配書生成部は、新たに設置されるＰＳＴＮ通信端末１１０の設置位置を入力として受け付ける。ここでは、オフィスビルの２階であるとする。手配書生成部は、配線盤情報を参照し、工事対象が第１のＩＤＦ１０２ａであることを特定する。そして、図５の検査結果データを参照して構内通信線路Ｃ１０ｃが未割当であることを特定する。また、図７の検査結果データと配線盤情報とを比較して、第１のＩＤＦ１０２ａにおける構内側端子Ｃ２０ｃ、中継端子Ｃ２４ｃ、端末側端子Ｃ２２ｃが未使用であることを特定する。
【００７６】
図１１は、自動生成された工事手配書を模式的に示す。上記の例において、手配書生成部は、工事対象配線盤欄に、新たなＰＳＴＮ通信端末１１０の設置位置に対応する「第１のＩＤＦ」を設定する。また、配線対象端子欄の一方には、未割当の構内通信線路Ｃ１０ｃに対応する「構内側端子Ｃ」を設定する。配線対象端子欄の他方には、未使用の中継端子２４の１つである「中継端子Ｃ」を設定する。端末接続端子欄には、中継端子Ｃに対応する「端末側端子Ｃ」を設定する。工事担当者は、この工事手配書を確認することで、新たなＰＳＴＮ通信端末１１０の設置工事を実施できる。
【００７７】
この変形例によれば、検査結果データを活用して工事手配書を自動生成することにより、構内配線システム１００の保守管理コストを一層低減できる。なお、手配書作成装置の物理的な設置位置に制限はなく、監視端末４００と接続された独立装置であってもよく、監視端末４００またはＭＤＦ１０４に搭載されてもよい。
【００７８】
第２の変形例を説明する。検査制御部８０の検査実行部８６は、構内配線システム１００の検査において、検査データに加えて、構内通信線路１０の伝送品質を確認するためのデータ（以下、「品質確認データ」とも呼ぶ。）を、構内通信線路１０を介してＩＤＦ１０２の検査処理部３０へ送信してもよい。この品質確認データとしては、あらかじめ定められた特定の周波数や特定の電力の信号が使用される。なお、保守管理者の知見や実験等により適切な周波数や電力が決定されてよい。
【００７９】
検査処理部３０の応答部３６は、構内通信線路１０を介して品質確認データを受け付けた際、その品質確認データの信号雑音比や信号減衰量の大きさに応じて、構内通信線路１０の伝送品質を推定する。例えば、信号雑音比が大きいほど、かつ、信号減衰量が小さいほど、良好な伝送品質であると推定してもよい。応答部３６は、推定した伝送品質を示すデータ（以下、「伝送品質データ」とも呼ぶ。）を検査制御部８０へ送信する。検査制御部８０の結果出力部８８は、伝送品質データを含む検査結果データを監視端末４００へ出力する。例えば、図５の検査結果データの各レコードに対し、各構内通信線路１０の伝送品質データを付加してもよい。
【００８０】
この変形例によれば、構内配線システム１００の保守担当者は、構内通信線路１０の使用状況に加え、その構内通信線路１０の伝送品質を容易に確認できる。また、構内通信線路１０の伝送品質を確認するための現地調査が不要となり、構内配線システム１００の保守管理コストを低減できる。
【００８１】
第３の変形例を説明する。本変形例においては、上記実施の形態よりも少ない端子数でＭＤＦ１０４の検査を実行する構成を説明する。本変形例のＭＤＦ１０４は、第２中継端子４６、第３中継端子４８、第２検査用端子５６、第２ＭＤＦスイッチ５８を備えない。また本変形例では、ＭＤＦ１０４の検査において、第１ＭＤＦスイッチ５４は構内側端子４０と第１中継端子４４とを接続状態とし、ＩＤＦスイッチ２８は中継端子２４と検査用端子２６とを接続状態とする。
【００８２】
ＭＤＦ１０４の検査において、検査制御部８０の検査実行部８６は、管理用通信線路１２を介して検査処理部７０へ検査データを送信する。検査処理部７０の応答部７６は、検査データに指定された構内通信線路ＩＤで特定される構内通信線路１０に対応する第３検査用端子６０を介して、ＩＤＦ１０２の検査処理部３０へ応答データを送信する。なお、応答部７６は、複数の構内通信線路１０のそれぞれと、各端子の情報とが対応づけられたテーブルを保持してもよい。そして、そのテーブルを参照することにより、構内通信線路ＩＤに応じて、応答データを設定し、応答データを送出すべき第３検査用端子６０を特定してもよい。検査処理部３０の通信部３２は、受け付けた応答データを、管理用通信線路１２を介して検査制御部８０へ転送する。以降、実施の形態と同様の動作になる。この変形例においても、構内通信線路１０がＰＳＴＮ１１４へ未割当であれば、すなわち、第３中継端子４８と第４中継端子５０とが接続されていなければ、検査実行部８６において応答データのタイムアウトが検出される。
【００８３】
この変形例によれば、ＭＤＦ１０４の検査のために必要となる端子数・スイッチ数を削減でき、ＭＤＦ１０４の製造コストを低減できる。なお、本変形例は、ＰＳＴＮ通信端末１１０に対する構内通信線路１０の割当に伴って、構内通信線路１０に対するＰＳＴＮ１１４の割当も実施される場合に特に好適である。言い換えれば、構内側端子２０と中継端子２４との接続に伴って、対応する第３中継端子４８と第４中継端子５０とが接続される場合に特に好適である。
【００８４】
第４の変形例を説明する。上記実施の形態では、第１のＩＤＦ１０２ａ、第２のＩＤＦ１０２ｂに対する検査が順次実行され、それぞれの検査において、構内通信線路Ａ１０ａ〜構内通信線路Ｄ１０ｄに対する検査データの送出が順次実行された。変形例においては、構内通信線路Ａ１０ａ〜構内通信線路Ｄ１０ｄに対する検査が並行して実行されてもよい。例えば、検査実行部８６および応答部３６はマルチスレッドで動作し、構内通信線路１０のそれぞれに対する検査データの送受および応答データの送受を並列して実行してもよい。この変形例によれば、構内配線システム１００の検査処理に要する時間を短縮できる。なお、ＭＤＦ１０４に対する検査処理も並行実行されてよいのはもちろんである。
【００８５】
第５の変形例を説明する。上記実施の形態では、監視端末４００からの検査実行指示を検査制御部８０が受け付けたことを契機として、構内配線システム１００の検査が開始された。変形例においては、所定の時刻になったことを検査制御部８０が検出したことを契機として、構内配線システム１００の検査を自律的に開始してもよい。また、上記実施の形態では、検査制御部８０からの検査開始通知に基づきＩＤＦ１０２のＩＤＦスイッチ２８が切替えられた。変形例においては、所定の時刻になったことを検査処理部３０が検出したことを契機として、ＩＤＦ１０２のＩＤＦスイッチ２８を自律的に切替えてもよい。
【００８６】
第６の変形例を説明する。上記実施の形態では、検査処理部３０はＩＤＦ１０２に搭載され、検査処理部７０および検査制御部８０はＭＤＦ１０４に搭載された。変形例においては、検査処理部３０は、ＩＤＦ１０２の検査用端子２６に接続されたＩＤＦ１０２の外部装置に搭載されてもよい。また、検査処理部７０は、ＭＤＦ１０４の第３検査用端子６０と接続されたＭＤＦ１０４の外部装置に搭載されてもよい。また、検査制御部８０は、ＭＤＦ１０４の第１検査用端子５２および第２検査用端子５６に接続されたＭＤＦ１０４の外部装置に搭載されてもよく、例えば監視端末４００に搭載されてもよい。
【００８７】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。
【００８８】
請求項に記載の各構成要件が果たすべき機能は、実施の形態および変形例において示された各構成要素の単体もしくはそれらの連係によって実現されることも当業者には理解されるところである。
【００８９】
請求項に記載の「第１の通信線路」と「第２の通信線路」は、通信線路を識別するための便宜上の名称であり、それぞれの通信線路の種類等に制限はなく様々な通信経路の組み合わせを含む。例えば、第１の通信線路と第２の通信線路は、構内通信線路１０と、ＰＳＴＮ通信端末１１０を起点する通信線路と、ＰＳＴＮ１１４を起点とする通信線路と、のいずれの組み合わせであってもよい。
【符号の説明】
【００９０】
１０  構内通信線路、  １２  管理用通信線路、  ２０  構内側端子、  ２２  端末側端子、  ２４  中継端子、  ２６  検査用端子、  ２８  ＩＤＦスイッチ、  ３０，７０  検査処理部、  ３４，７４  切替指示部、  ３６，７６  応答部、  ４０  構内側端子、  ４２  ＰＳＴＮ側端子、  ４４  第１中継端子、  ４６  第２中継端子、  ４８  第３中継端子、  ５０  第４中継端子、  ５２  第１検査用端子、  ５４  第１ＭＤＦスイッチ、  ５６  第２検査用端子、  ５８  第２ＭＤＦスイッチ、  ６０  第３検査用端子、  ６２  第３ＭＤＦスイッチ、  ８０  検査制御部、  ８４  切替指示部、  ８６  検査実行部、  ８８  結果出力部、  １００  構内配線システム、  １０２  ＩＤＦ、  １０４  ＭＤＦ、  １１０  ＰＳＴＮ通信端末、  １１４  ＰＳＴＮ。
【図１】
2011071762.tif 000003
【図２】
2011071762.tif 000004
【図３】
2011071762.tif 000005
【図４】
2011071762.tif 000006
【図５】
2011071762.tif 000007
【図６】
2011071762.tif 000008
【図７】
2011071762.tif 000009
【図８】
2011071762.tif 000010
【図９】
2011071762.tif 000011
【図１０】
2011071762.tif 000012
【図１１】
2011071762.tif 000013